(57)【要約】【課題】  メガネフレームから取外したデバイスを組み込んで構成するブレスレットの提供。【解決手段】  軸ピン１５を介して連結した２本のリング片１４ａ，１４ｂから成る概略Ｃ形のリング本体１３にデバイス３を組み込んだ構造とし、該デバイス３は概略Ｃ形のリング本体１３の開口１６を塞ぐように配置されて対向するリング片１４ａ，１４ｂを連結し、そして上記デバイス３はメガネフレームにも取付けることが出来る形態としている。【選択図】    図４
2017123890.tif 000002
【特許請求の範囲】
【請求項１】
腕に嵌めるブレスレットにおいて、該ブレスレットは継手を介して連結した複数のリング片から成る概略Ｃ形のリング本体にデバイスを組み込んだ構造とし、該デバイスは概略Ｃ形のリング本体の開口を塞ぐように配置されて対向するリング片を繋ぎ、そして上記デバイスはメガネフレームにも取付けることが出来る形態としていることを特徴とするデバイスを組み込んだブレスレット。
【請求項２】
上記リング本体は湾曲した２本のリング片で構成した請求項１記載のデバイスを組み込んだブレスレット。
【請求項３】
一方のリング片先端部外周には凹溝などのガイドを形成すると共に他方のリング片先端には凹部を設け、そしてデバイス側には上記ガイドと噛合ってスライドするガイドを形成し、デバイス先端には凹部に嵌る嵌入片を形成した請求項２記載のデバイスを組み込んだブレスレット。
【発明の詳細な説明】
【技術分野】
【０００１】
本発明はメガネフレームに取付けたデバイス取外した場合、該デバイスを組み込んで構成するブレスレットに関するものである。
【背景技術】
【０００２】
デバイスとはコンピューターに接続して使うあらゆるハードウェアを意味し、近年、このデバイスをメガネフレームに取付けて色々な情報（データ）を視覚を介して得ることが出来るように成っている。
すなわち、メガネ型デバイスであり、目の近くに小型のディスプレイを配置しており、普段は一般の矯正用メガネとして使用され、必要な場合には上記ディスプレイに視線を合わせて使うことが出来る。
【０００３】
メガネのフロント部片側にデバイスを配置した単眼型と、フロント部両側にデバイスを配置した両眼型があるが、その機能は色々である。視界にとらえたデータをディスプレイに表示し、現実社会の情報を保管することが出来る。
例えば、目的地に向かうための進むべき道を表示することが出来る。また、外国語を目にした時にはその翻訳語を表示することが出来る。人の顔を認識してプロフィールをディスプレイに表示することも出来る。
【０００４】
図６はデバイスを取付けたメガネを示す従来例であり、同図に示すようにメガネフレームのフロント部から側部にかけて、概略へ形（弓形）をしたデバイスを取付けている。同図の（ａ）は片側にデバイス（イ）を取付けている場合、（ｂ）は両側にデバイス（イ）、（イ）を取付けている場合を示している。
該デバイス（イ）にはフロント部側先端付近にディスプレイを備え、コーナー部にはカメラを有すことが出来る。
ところで、デバイスの具体的な機能は各メーカーにて色々あるが、該デバイスはメガネフレームにネジ止め等の取付け手段にて取着されて一体化した構造と成っている。
【０００５】
従来においても、デバイスを取付けたメガネに関しては、色々な発明が知られている。たとえば、特開２０１５−９６９２９号に係る「眼鏡フレーム、ウェアラブルコンピュータ付眼鏡」は、装着時に使用者の顔面上に露出するデバイスを最小限とし、かつ、眼前に保持したディスプレイ装置の振動を防止するとともに、必要に応じて眼鏡やサングラスのレンズを容易に着脱可能なウェアラブルコンピュータ用の眼鏡フレーム、およびヘッドマウント型のウェアラブルコンピュータ付眼鏡である。
【０００６】
すなわち、使用者の片方の耳殻から後頭部に沿って他方の耳殻に至り、さらに眉間部前方まで終端を延伸させて成るフレーム体と、前記フレーム体の延伸部の終端に取り付けたノーズパッド部とから成る眼鏡フレームの、前記終端又はノーズパッド部に眼鏡レンズ組立体を有し、前記フレーム体の延伸部にウェアラブルコンピュータを構成するデバイスを取り付けている。
【０００７】
特開２０１４−８１４８１号に係る「観察光学系、及びそれを用いた観察装置」は、広画角でかつ高い解像力を有する観察光学系、及び観察光学系を用いた観察装置である。
すなわち、観察光学系は、観察者の前方に配置され、光を拡散する拡散面と、第１面、第２面、及び第３面を有する少なくとも３面の光学面で構成され、前記光学面のうち、少なくとも２面は、回転非対称な形状を有し、物体面の映像の実像を前記拡散面に投影する第１光学系と、前記拡散面に投影された実像を観察者眼球に拡大された虚像として投影する第２光学系とを備え、前記物体面の中心と前記拡散面の中心を結ぶ光線を軸上主光線としたとき、前記少なくとも３面の光学面は、それぞれ前記軸上主光線に対して偏心して配置される。
【０００８】
ところで、デバイスは一般的にメガネフレームに固定されて一体化した構造と成っているが、デバイスのない普通のメガネとして使う場合には該デバイスが邪魔になる。
しかし、メガネフレームから取り外すならばデバイスを所定の収容ボックス又は収容袋に入れて携帯しなくてはならずこれも面倒である。そして、メガネフレームから取り外されたデバイスは、デバイスとしての役目は失われてしまう。
【特許文献１】特開２０１５−９６９２９号に係る「眼鏡フレーム、ウェアラブルコンピュータ付眼鏡」
【特許文献２】特開２０１４−８１４８１号に係る「観察光学系、及びそれを用いた観察装置」
【発明の開示】
【発明が解決しようとする課題】
【０００９】
ところで、従来からデバイスを取付けたメガネフレームは数多く知られている。しかし、メガネフレームはそれ専用の形態を有してデバイスは一般的にネジ止め等にて固定されている。本発明が解決しようとする課題はこの問題点であり、デバイスをメガネフレームから簡単に着脱すことが出来るように構成し、取外したデバイスを組み込んで腕に嵌めるリングとして構成することが出来るブレスレットを提供する。
【課題を解決するための手段】
【００１０】
本発明に係るブレスレットは、デバイスを組み込むことで腕に嵌めるリングを構成している。ブレスレットの具体的な形態は限定しないが、上記デバイスを組み込むことで円環状のリング体を形成することが出来る。
ここで、デバイスを組み込む前のリング本体は湾曲した複数のリング片が継手を介して連結した構造とし、リング本体の両先端の間には開口を有し、この開口部にデバイスが組み込まれて閉じた円環状のリング体と成る。各リング片は継手を介して旋回し、その為にリング本体の上記開口の大きさは変化することが出来、開口を大きく開いた状態で腕に嵌める。腕に嵌めたところで、デバイスがリング本体に取付けられて開口を閉じることが出来る。
【００１１】
デバイスのリング本体への取付け形態は色々ある為に限定しないことにするが、一般的には一方リング片の先端部外周にデバイスが噛み合うガイドを設け、他方リング片の先端には凹部を設けてデバイス先端が嵌るようにすることが出来る。
そして、上記デバイスはリング本体から取り外してメガネフレームに取付けることが出来る。ツルのフロント部側にはガイド溝を形成しており、ガイド溝はツルの継手側木口から所定長さにわたって連続して形成している。
【００１２】
一方、デバイスには嵌入ガイドが設けられ、この嵌入ガイドは上記ツルに形成した上記ガイド溝に嵌ることが出来る。ツル側に嵌入ガイドを設け、デバイス側にガイド溝を設けることもある。
ところで、本発明は上記デバイスの機能に関しては限定せず、例えば一般的なディスプレイ、カメラなどを備えることが出来る。そして、このメガネフレームの材質は樹脂製であっても金属製であっても構わず、レンズが嵌るフロント部の形態も自由である。
フロント部に嵌めることが出来るレンズは必ずしも矯正用レンズに限るものではなくサングラスを嵌める場合もあり、又は矯正用レンズやサングラスを嵌めないでフレームだけで構成することもある。
【発明の効果】
【００１３】
本発明のブレスレットはリング本体にデバイスを組み込んで構成し、該デバイスはリング本体から取り外してメガネフレームに取付けることが出来る。すなわち、デバイスはメガネフレームに簡単に取付けることが出来、また、メガネフレームから取り外してリング本体に組み込んでブレスレットを構成することが出来る。
ネジなどの止着具を用いてない為に、メガネフレームにはデバイスを簡単に取付けることが出来、不要な際には取外すことが可能である。
【００１４】
デバイスをメガネフレームに取付けることで、デバイス本来の機能を発揮することが出来る。例えば、目的地に向かうための進むべき道を表示することが出来、また外国語を目にした時にはその翻訳語を表示することが出来る。人の顔を認識してプロフィールをディスプレイに表示することが出来る。
そして、デバイスを組み込んでブレスレットとして構成することで、従来にない装飾品としての効果を得ることが出来、またデバイスに時刻を表示するならば腕時計として使用できる。
【図面の簡単な説明】
【００１５】
【図１】デバイスを取付けた本発明のメガネフレームで、（ａ）は平面図、（ｂ）は正面図。
【図２】デバイスをツルから外した状態の実施例。
【図３】折畳まれたツルの木口からデバイスの嵌入ガイドを嵌める場合。
【図４】デバイスを組み込んだブレスレットの実施例。
【図５】両リング片で構成している概略Ｃ形のリング本体にデバイスを取付ける場合。
【図６】デバイスを備えた従来の一般的なメガネフレーム。
【発明を実施するための形態】
【００１６】
図１はデバイスを取付けたメガネフレームを示す実施例であり、（ａ）は平面図、（ｂ）は正面図である。同図の１はメガネフレームのフロント部、２，２はツル、３はデバイスをそれぞれ表している。メガネフレームとしての基本形態は従来のもと同じであり、フロント部１の両側端にはツル２，２が継手４，４を介して折畳み出来るように取付けられている。
【００１７】
フロント部１は両リム部５，５が中央の連結部６を介して繋がれ、そしてリム部５，５及び連結部６の上縁には湾曲したワタリ７を取付けている。上記継手４，４はワタリ７の両先端に設けられてツル２，２が連結している。また、ワタリ７の両先端にはヨロイ８，８を取着している。
ところで、該フロント部１の形態に関しては図１の実施例に示す場合に限定するものではなく、上記ワタリ７を用いないでフロント部１を構成する場合もある。
【００１８】
上記デバイス３は弓形（へ形）に湾曲し、フロント部１からツル２に沿って延びた形状としていて、デバイス３はツル２に取付けられている。このメガネフレームはデバイス３をネジ止めすることなく、必要に応じて簡単に取外すことが出来る構造としている。
すなわち、ツル２にはガイド溝が形成され、このガイド溝にデバイス３に設けた嵌入ガイドが嵌って取付けられる。
【００１９】
図２はデバイス３を取外している状態であり、ツル２の継手側にはガイド溝９が設けられ、デバイス３には嵌入ガイド１０を形成している。嵌入ガイド１０はガイド溝９に嵌って取付けられるが、ツル９が同図のように開いた状態では嵌入ガイド１０をガイド溝９に嵌めることは出来ない。すなわち、ツル２が開かれるとその木口がヨロイ８に当たってストッパーとなる。
【００２０】
図３はデバイス３をツル２に取付ける手順を示しているが、ツル２を同図に示すように折畳むならば、木口１１はヨロイ８から離れて開口する。ツル２に形成したガイド溝９は上記木口１１から一定長さにわたって連続して形成され、上記嵌入ガイド１０は開口した木口１１からガイド溝９に嵌ってデバイス３はツル２に取付けられる。
【００２１】
ガイド溝９に嵌った嵌入ガイド１０は、ツル２が前記図１に示すように開くならば、木口１１はヨロイ８に当たって閉じられ、ガイド溝９から嵌入ガイド１０が外れることはない。デバイス３を取外す場合には、図３のようにツル２を折畳んで木口１１を開口した状態で、嵌入ガイド１０をガイド溝９から抜き取ることが出来る。
【００２２】
ところで、メガネフレームから取外された上記デバイス３は本発明に係るブレスレットを構成することが出来る。図４は該ブレスレット１２を示す実施例であり、ブレスレット１２にはデバイス３が組み込まれてリング体が形成されている。該ブレスレット１２はリング片１４ａとリング片１４ｂから成る概略Ｃ形のリング本体１３の両先端部にデバイス３が取付けられている。
【００２３】
リング本体１３の両リング片１４ａ，１４ｂは軸ピン１５を中心として旋回し、その為にリング本体１３に形成されている開口１６は変化することが出来る。そこで、両リング片１４ａ，１４ｂを開くことで開口１６を大きくして腕に嵌めることが出来、腕に嵌めた状態で上記デバイス３を取付けて開口１６を閉じ、リング体とする。
【００２４】
図５はリング本体１３にデバイス３を組み込む場合を示している。リング本体１３の一方のリング片１４ａの先端部外周には凹溝１７が先端から所定の長さにわたって形成され、また、他方のリング片１４ｂの先端には凹部１８を設けている。そして、デバイス３には嵌入ガイド１０を設け、先端には嵌入片１９を形成している。
【００２５】
そこで、上記嵌入ガイド１０はリング片１４ａに設けている凹溝１７に嵌ってガイドされ、嵌入片１９はリング片１４ｂの先端に設けている凹部１８に嵌ることが出来る。嵌入ガイド１０を矢印方向へスライドして凹溝１７に嵌め、その後でリング片１４ｂを内側へ旋回して凹部１８に嵌入片１９を嵌めることが出来る。ここで、デバイス３をリング本体１３に組み込むことで、図４に示すようなブレスレットが形成される。
ところで、図５に示すデバイス３の組み込み構造は１具体例に過ぎず、該実施例に限定するものではない。また、デバイス３に備わる機能に関しては限定しないが、例えば時計を表示するならばブレスレットを腕時計として使うことが出来る。
【符号の説明】
【００２６】
１   フロント部
２   ツル
３   デバイス
４   継手
５   リム部
６   連結部
７   ワタリ
８   ヨロイ
９   ガイド溝
10   嵌入ガイド
11   木口
12   ブレスレット
13   リング本体
14   リング片
15   軸ピン
16   開口
17   凹溝
18   凹部
19   嵌入片
【図１】
2017123890.tif 000003
【図２】
2017123890.tif 000004
【図３】
2017123890.tif 000005
【図４】
2017123890.tif 000006
【図５】
2017123890.tif 000007
【図６】
2017123890.tif 000008